(57)【特許請求の範囲】
【請求項１】
ラック等の本体に固定される固定側レールと、固定側レールに対し摺動自在に配設された移動側レールと、移動側レールに保持された移動側レール保持部材よりなるスライドレールにおいて、前記移動側レール保持部材は、移動側レールの摺動方向と交差する方向に、弾性的に変移する係止部を有し、固定側レールには、移動側レールが固定側レールに対し最も収納された位置で前記係止部と係止する被係止部が形成されると共に、前記移動側レール保持部材には、係止部と被係止部が係止した状態で、係止部と被係止部の係止状態を解除させる操作突部が固定側レールの前方に突出して形成され、前記被係止部は、固定側レールの移動側レール前端ストッパーを兼用している事を特徴とするスライドレール。
【発明の詳細な説明】
【０００１】
【産業上の利用分野】
本発明は、コンピューター等の機器類を本体内に収納した状態を維持するスライドレールに関するものである。
【０００２】
【従来の技術】
従来、抽斗あるいはコンピューター等の機器類を本体内に収納した状態を維持するスライドレールとして、固定側レールの端部を内方に折り曲げて形成した抜止ストッパーに弾性体からなる山形の係合突部を有するはね返り防止部材をとりつけ、該係合突部を移動側レールの端部を内方に折り曲げてもうけたストッパーに係合せしめる事により、移動側レールが固定側レールに最も収納された状態を維持したり（例えば、実開昭５７−１８９４５０号）、あるいは、固定側レールの基板の後端の一部を弾性を付与して移動側レール側に突出せしめてはね返り防止突片を形成すると共に、移動側レールの後端内面にはね返り防止突片の後端が弾性的に当接するストッパー部を形成したもの（実開昭６０−１８７６３３号）が提供されてきた。
【０００３】
しかし、これらはいずれも、移動側レールが固定側レールに収納された状態で、移動側レールが弾性的に固定側レールと係止されているだけであるので、輸送途中、あるいは地震等で本体が、傾いたり揺動したりすると、不測に機器類等が飛び出す恐れがあった。
【発明が解決しようとする課題】
【０００４】
本発明は、上記欠点を解決する事を課題とし、簡単な構造で取付が容易で生産性に優れ、安価に製作でき、機器類の不測の飛び出しが完全に防止できるスライドレールを提供する事を目的とする。
【０００５】
【課題を解決する為の手段】
上記課題を解決する為、本発明が手段とする第１の特徴は、ラック等の本体に固定される固定側レールと、固定側レールに対し摺動自在に配設された移動側レールと、移動側レールに保持された移動側レール保持部材よりなるスライドレールにおいて、前記移動側レール保持部材は、移動側レールの摺動方向と交差する方向に、弾性的に変移する係止部を有し、固定側レールには、移動側レールが固定側レールに対し最も収納された位置で前記係止部と係止する被係止部が形成されると共に、前記移動側レール保持部材には、係止部と被係止部が係止した状態で、係止部と被係止部の係止状態を解除させる操作突部が固定側レールの前方に突出して形成され、前記被係止部は、固定側レールの移動側レール前端ストッパーを兼用しているものである。
【０００９】
【発明の実施の形態】
家具等の本体に固定される固定側レールと、固定側レールに対し摺動自在に配設された移動側レールと、移動側レールに保持された移動側レール保持部材よりなるスライドレールにおいて、前記移動側レール保持部材は、移動側レールの摺動方向と交差する方向に、弾性的に変移する係止部を有し、固定側レールには、移動側レールが固定側レールに対し最も収納された位置で前記係止部と係止する被係止部が形成されると共に、前記移動側レール保持部材には、係止部と被係止部が係止した状態で、係止部と被係止部の係止状態を解除させる操作突部が固定側レールの前方に突出して合成樹脂材にて一体に形成され、前記被係止部は固定側レールの移動側レール前端ストッパーを兼用しているものである。
【００１０】
【実施例】
本発明の第１実施例を図面（図１〜図３）にもとづいて説明する。
図１において、符号１０はコンピューターラック等の本体を示し、符号１０１はスライドレール１００を介してコンピューターラックの本体１０に出入自在に設けられたコンピューター等の機器類を示し、符号６はスライドレール１００の固定側レール１に摺動自在にもうけられた移動側レール２の前端部内面に設けられた移動側レール保持部材を示している。
【００１１】
スライドレール１００は、コンピューターラック等の本体１０内面に連結される固定側レール１と、固定側レール１に対し、ボール保持板３に回転自在に保持された複数個のボール３０・・・を介して摺動自在に設けられた中間レール４と、中間レール４に対し、ボール保持板５に回転自在に保持された複数個のボール５０・・・を介して摺動自在に設けられた移動側レール２と、移動側レール２の前端部内面に設けられ、移動側レール２が固定側レール１に収納された状態を保持する移動側レール保持部材６より構成されている。
【００１２】
固定側レール１は、金属製の細長条板の短手両端部を内向き円弧状に折り曲げて形成された内面長手方向（摺動方向）にボール案内溝を有する折曲縁１１、１１と、基板１２より断面略Ｃ字形をなし、摺動方向前端部に、基板１２の一部が移動側レール２方向に突出し、中間レール４を介して、移動側レール２を最大引き出した状態で停止させ、スライドレール１００を最大伸長となす移動側レール前端ストッパー１３（被係止部）と、摺動方向後端部に、基板１２を移動側レール２方向に突出し、中間レール４を介して、移動側レール２が最も収納された状態で停止させ、スライドレール１００を最大縮小状態となす移動側レール後端ストッパー（図示せず。）を有している。
【００１３】
移動側レール２は、固定側レール１とほぼ同等の長さで、金属製の細長条板の短手両端部を内向き円弧状に折り曲げて形成された外面長手方向（摺動方向）にボール案内溝を有する折曲縁２１、２１と、基板２２より固定側レール１に対向する断面略Ｃ字形に形成されている。
そして、基板２２の前端部には、前記移動側レール保持部材６の取付用係止孔２２１が形成され、後端部には、スライドレール１００の最大伸長状態で中間レール４のボール保持板５の後端に当接する移動側レール前進ストッパー（図示せず。）が形成されている。
【００１４】
中間レール４は、移動側レール２と同一断面に形成された右側レール４１と、固定側レール１と同一断面に形成された左側レール４２が背中合わせに連結されて構成されている。
すなわち、右側レール４１は固定側レール１の半分よりやや長めで、金属製の細長条板の短手両端部を外向き円弧状に折り曲げて形成された外面長手方向（摺動方向）にボール案内溝を有する折曲縁４１１、４１１と、基板４１２より固定側レール１に対向する断面略Ｃ字形に形成され、左側レール４２の前端やや後部に連結されている。
そして、基板４１２の前端部が、移動側レール前端ストッパー１３（被係止部）を所定範囲通過し、基板４１２の後端部に形成された、固定側レール１側に突出する中間レール後端ストッパー（図示せず。）が、移動側レール前端ストッパー１３に当接して停止したボール保持板３の後端に当接して停止することで、スライドレール１００の最大伸長状態となり、最大縮小状態で左側レール４２の後端が移動側レール後端ストッパー（図示せず。）に当接して停止する。
【００１５】
一方、左側レール４２は、固定側レール１より、移動側レール保持部材６の前後方向の長さ分短めで、金属製の細長条板の短手両端部を内向き円弧状に折り曲げて形成された内面長手方向（摺動方向）にボール案内溝を有する折曲縁４２１、４２１と、基板４２２より断面略Ｃ字形をなし、基板４２２の摺動方向の後端部に、移動側レール２方向に突出し、スライドレール１０の最大縮小状態で前記移動側レール前進ストッパーが当接する移動側レール後部ストッパー（図示せず。）が形成され、前端部にスライドレール１０の最大伸長状態で、ボール保持板５の前端部が当接する移動側レール前部ストッパー４２３が形成されている。
【００１６】
ボール保持板３は帯条金属板にて中間レール４の右側レール４１より所定寸法長くした、固定側レール１と右側レール４１間に挿入可能な大きさの基板３１と、固定側レール１と右側レール４１の各折曲縁１１、１１、４１１、４１１間に位置する突出縁３２、３２より断面略コ字形に形成され、突出縁３２、３２の長手方向（摺動方向）数個所でボール３０・・・を回転自在に保持している。
【００１７】
ボール保持板５は帯条金属板にて中間レール４の左側レール４２より所定寸法短くした、移動側レール２と左側レール４２間に挿入可能な大きさの基板４０１
と、移動側レール２と左側レール４２の各折曲縁２１、２１、４２１、４２１間に位置する突出縁４０２、４０２より断面略コ字形に形成され、突出縁４０２、４０２の長手方向（摺動方向）数個所でボール５０・・・を回転自在に保持している。
【００１８】
第１実施例の移動側レール保持部材６は、適度な弾性を有する合成樹脂材より中央部分に変移用間隙６００を有して、全体がくの字形に形成されており、移動側レール２の各折曲縁２１、２１間の内面側に嵌入する嵌入突縁６１、６１を有し、基板２１の前端部内面に当接する連結基板６２と、連結基板６２中央部に形成され、移動側レール２の基板２２側に突出する弾性係止突片６３と、連結基板６２の前端に形成され移動側レール２の基板２２前端面に当接する位置決め突部６４と、連結基板６２の後端部に連接されて、固定側レール１の前方に突出し、後端部が連結基板６２方向に傾斜して形成された案内傾斜部６５と、案内傾斜部６５の前端に形成された係止部６６と、係止部６６の前側で、固定側レール１の前方に突出して形成された操作部６７より形成されている。
【００１９】
次に本発明の第２実施例を図面（図４〜図６）にもとづいて説明する。
第２実施例は、第１実施例と同様の固定側レール１、移動側レール２、中間レール４、ボール保持板３、５等より構成され、第１実施例同様移動側レール２の基板２２の前端内面に移動側レール保持部材６の取付用係止孔２２１が形成されている。
【００２０】
第２実施例の移動側レール保持部材６は、適度な弾性を有する板バネ材より中央部分に変移用間隙６００を有して、全体が略くの字形に形成されており、移動側レール２の各折曲縁２１、２１間の内面側に嵌入する嵌入突縁６１、６１を有し、基板２２の前端部内面に当接する連結基板６２と、連結基板６２中央部に形成され、移動側レール２の基板２２側に突出する弾性係止突片６３と、連結基板６２の前端に形成され移動側レール２の基板２２前端面に当接する位置決め突部６４と、連結基板６２の後端部に連接されて、固定側レール１の前方に突出し、
後端部が連結基板６２方向に傾斜して形成された案内傾斜部６５と、案内傾斜部６５の前端に形成された係止部６６と、係止部６６の前側で、固定側レール１の前方に突出して形成された操作部６７より形成されている。
【００２１】
移動側レール保持部材６は上記の如く構成されて、次のようにして移動側レール２に取付られる。
移動側レール２の先端から、移動側レール保持部材６の嵌入突片６１、６１を移動側レール２の各折曲縁２１、２１間に嵌入していく、この時、各折曲縁２１、２１は内向き円弧状に折り曲げられているので、中間レール４側に外れるおそれはない。そして、弾性係止突片６３が取付用係止孔２２１に一致すると、弾性係止突片６３は弾性にて中間レール５の反対方向に変移し、取付用係止孔２２１に係止すると同時に、位置決め突部６４は移動側レール２の基板２２前端面に当接する。この状態で、移動側レール保持部材６は、前後左右及び上下方向への移動は、嵌入突片６１、６１と各折曲縁２１、２１、弾性係止突片６３と取付用係止孔２２１、位置決め突部６４と基板２２前端面、基板２２と連結基板６２によって阻止される。
【００２２】
第１実施例、第２実施例は上記の如く構成され、図１及び図４の仮想線に示す状態から移動側レール２を後方に移動させると（移動側レール２を固定側レール１に収納していくと）、移動側レール保持部材６の案内傾斜部６５が移動側レール前端ストッパー１３（被係止部）の端面に接触し、連結基板６２側に変移しながら後方に移動する。そして、係止部６６が移動側レール前端ストッパー１３（被係止部）の後部に位置し、スライドレール１０が最大縮小状態（固定側レール１に中間レール４、移動側レール２が収納された状態）となった時、弾性によって、案内傾斜部６５が初期状態に復帰し、係止部６６は移動側レール前端ストッパー１３（被係止部）に係止し、スライドレール１０の最大縮小状態（固定側レール１に中間レール４、移動側レール２が収納された状態）を維持し、移動側レール２の不用意な前方への飛び出しを阻止する。（図１及び図４に示す状態。）
【００２３】
次に、上記の状態から移動側レール２を引き出す場合は、固定側レール１の前方に突出した操作部６７を指先で連結基板６２側に押しやり、係止部６６と移動側レール前端ストッパー１３（被係止部）の係止状態を解除し、この状態を維持しながら移動側レール２を前方に引き出す。
【００２４】
【発明の効果】
特許請求の範囲の請求項１に記載の発明によれば、移動側レールに保持される移動側レール保持部材は、移動側レールの摺動方向と交差する方向に、弾性的に変移する係止部を有し、固定側レールには、移動側レールが固定側レールに対し最も収納された位置で前記係止部と係止する被係止部が形成されると共に、前記移動側レール保持部材には、係止部と被係止部が係止した状態で、係止部と被係止部の係止状態を解除させる操作突部が固定側レールの前方に突出して形成されているので、移動側レールが固定側レールに最も収納された状態（スライドレールが最大縮小状態）で、移動側レールは固定側レールに保持されるので、地震等によって本体がゆれても、移動側レールが不用意に飛び出す恐れがない。
又、被係止部が、固定側レールの移動側レール前端ストッパーを兼用しているので、部品点数が削減出来、安価に製作できる。
【図面の簡単な説明】
【図１】    本発明の第１実施例の要部断面図である。
【図２】    図１のＡ−Ａ線一部断面図である。
【図３】    本発明の第１実施例の移動側レール保持部材の斜視図である。
【図４】    本発明の第２実施例の要部断面図である。
【図５】    図４のＢ−Ｂ線一部断面図である。
【図６】    本発明の第２実施例の移動側レール保持部材の斜視図である。
【符号の説明】
１                    固定側レール
１３                  移動側レール前端ストッパー（被係止部）
１００                スライドレール
２                    移動側レール
６                    移動側レール保持部材
６６                  係止部
６７                  操作突部
【図１】
0003658198.tif 000002
【図２】
0003658198.tif 000003
【図３】
0003658198.tif 000004
【図４】
0003658198.tif 000005
【図５】
0003658198.tif 000006
【図６】
0003658198.tif 000007